(57)【特許請求の範囲】
【請求項１】
本体ケースに収納されたロール紙を繰り出して紙面に印字し、印字した前記ロール紙を排紙口から排出するプリンタであって、
前記本体ケースに対して開閉可能に設けられた開閉カバーと、
前記開閉カバーに移動可能に設けられ、前記排紙口に露出して前記ロール紙の切断に用いられるカッタと、
前記開閉カバーの開閉動作に連動して、前記開閉カバーが閉じられる際に前記カッタを前記排紙口に露出させ、前記開閉カバーが開いた状態では前記カッタが露出しない様に保護するカッタ保護機構と、を備え、
前記カッタ保護機構は、
前記カッタの端部に固定されたラックギヤと、
前記ラックギヤに噛合って回転するギヤ部及び前記ギヤ部の周面から突出するロッド部を有するピニオンギヤと、
前記カッタが前記開閉カバーに収納される方向に前記カッタ又は前記ピニオンギヤを付勢する付勢手段と、
前記本体ケースの内側面に設けられ、前記開閉カバーが閉じられる際に前記ロッド部を押して前記ピニオンギヤを回転させるリブと、を備え、
前記開閉カバーが閉じられる際に、前記付勢手段の付勢力に抗して前記カッタを前記開閉カバーに収納された位置から前記ロール紙を切断可能な位置に移動させる
ことを特徴とするプリンタ。
【請求項２】
本体ケースに収納されたロール紙を繰り出して紙面に印字し、印字した前記ロール紙を排紙口から排出するプリンタであって、
前記本体ケースに対して開閉可能に設けられた開閉カバーと、
前記開閉カバーに固定支持され、前記排紙口に露出して前記ロール紙の切断に用いられるカッタと、
前記開閉カバーの開閉動作に連動して、前記開閉カバーが閉じられる際に前記カッタを前記排紙口に露出させ、前記開閉カバーが開いた状態では前記カッタが露出しない様に保護するカッタ保護機構と、を備え、
前記カッタ保護機構は、
前記開閉カバーに移動可能に設けられたシャッタと、
前記シャッタの端部に固定されたラックギヤと、
前記ラックギヤに噛合って回転するギヤ部及び前記ギヤ部の周面から突出するロッド部を有するピニオンギヤと、
前記シャッタが前記カッタを覆う方向に前記シャッタ又は前記ピニオンギヤを付勢する付勢手段と、
前記本体ケースの内側面に設けられ、前記開閉カバーが閉じられる際に前記ロッド部を押して前記ピニオンギヤを回転させるリブと、を備え、
前記開閉カバーが閉じられる際に、前記付勢手段の付勢力に抗して前記カッタを前記排紙口に露出する様に前記シャッタを移動させる
ことを特徴とするプリンタ。
【発明の詳細な説明】
【技術分野】
【０００１】
本発明は、プリンタに関する。
【背景技術】
【０００２】
ロール紙等の連続紙に印字を行う携帯型のプリンタは、印字が行われて排紙された用紙を切断するための用紙カッタを備えるのが一般的である。この様な携帯型プリンタは、本体ケースに収納される用紙を補充又は交換するための開閉カバーを有し、用紙カッタは本体ケース側又は開閉カバー側の用紙排紙口付近に設けられる。
【０００３】
用紙を補充又は交換するために開閉カバーを開けた状態では、排紙口付近の用紙カッタが露出した状態になり、用紙補充時等に用紙カッタに触れてケガをする虞がある。
【０００４】
そこで、例えば特許文献１には、アッパカバーと連動して動くシャフトを設け、アッパカバーを開くときにシャフトの先端部をカッタ刃の前に突出させることによってカッタ刃を前方に移動できないようにするレシートプリンタが開示されている。
【先行技術文献】
【特許文献】
【０００５】
【特許文献１】特開平７−１６４６９５号公報
【発明の概要】
【発明が解決しようとする課題】
【０００６】
しかしながら、特許文献１に係るレシートプリンタでは、アッパカバーを開いた状態で用紙交換等の作業中にアッパカバーに接触等して、ロックレバーがピンから外れてカッタ刃が露出する可能性がある。カッタ刃が露出した状態で作業を行うと、上記した様にカッタに触れてケガをする虞がある。
【０００７】
そこで本発明では、開閉カバーが開いた状態でカッタが露出することがなく、用紙交換時等にケガをすることがないプリンタを提供することを目的とする。
【課題を解決するための手段】
【０００８】
本発明の一態様におけるプリンタは、本体ケースに収納されたロール紙を繰り出して紙面に印字し、印字した前記ロール紙を排紙口から排出するプリンタであって、前記本体ケースに対して開閉可能に設けられた開閉カバーと、前記開閉カバーに移動可能に設けられ、前記排紙口に露出して前記ロール紙の切断に用いられるカッタと、前記開閉カバーの開閉動作に連動して、前記開閉カバーが閉じられる際に前記カッタを前記排紙口に露出させ、前記開閉カバーが開いた状態では前記カッタが露出しない様に保護するカッタ保護機構と、を備え、前記カッタ保護機構は、前記カッタの端部に固定されたラックギヤと、前記ラックギヤに噛合って回転するギヤ部及び前記ギヤ部の周面から突出するロッド部を有するピニオンギヤと、前記カッタが前記開閉カバーに収納される方向に前記カッタ又は前記ピニオンギヤを付勢する付勢手段と、前記本体ケースの内側面に設けられ、前記開閉カバーが閉じられる際に前記ロッド部を押して前記ピニオンギヤを回転させるリブと、を備え、前記開閉カバーが閉じられる際に、前記付勢手段の付勢力に抗して前記カッタを前記開閉カバーに収納された位置から前記ロール紙を切断可能な位置に移動させることを特徴とする。
【発明の効果】
【０００９】
本発明の実施形態によれば、開閉カバーが開いた状態でカッタが露出することがなく、用紙交換時等にケガをすることがないプリンタを提供できる。
【図面の簡単な説明】
【００１０】
【図１】実施形態に係る携帯型サーマルプリンタを示す斜視図。
【図２】図１の携帯型サーマルプリンタの内部構造を示す図。
【図３】第１の実施形態に係るサーマルプリンタの開閉カバーが開いた状態の側面概略図。
【図４】第１の実施形態に係るサーマルプリンタの開閉カバーが閉じた状態の側面概略図。
【図５】第１の実施形態に係るサーマルプリンタのクリーニング部材及び研磨部材を示す図。
【図６】第２の実施形態に係るサーマルプリンタの開閉カバーが開いた状態の側面概略図。
【図７】第２の実施形態に係るサーマルプリンタの開閉カバーが閉じた状態の側面概略図。
【図８】第３の実施形態に係るサーマルプリンタの開閉カバーが開いた状態の側面概略図。
【図９】第３の実施形態に係るサーマルプリンタの開閉カバーが閉じた状態の側面概略図。
【図１０】ピニオンギヤ、カッタ及び保持部材の付勢手段の構成例を示す図。
【発明を実施するための形態】
【００１１】
以下、本発明の好適な実施の形態（以下「実施形態」という）について、図面を用いて詳細に説明する。
【００１２】
図１及び図２に、本発明の実施形態に係るサーマルプリンタ６０を示す。Ｘ１−Ｘ２は幅方向、Ｙ１−Ｙ２は奥行き方向、Ｚ１−Ｚ２は高さ方向を示す。
【００１３】
サーマルプリンタ６０は、略直方体形状の本体ケース１００の内部に、ロール紙ＳＲの収容部及びロール紙を繰り出して搬送する機構の他に、バッテリ内蔵部を有する構造であり、携帯可能な大きさである。
【００１４】
サーマルプリンタ６０は、所謂クラムシェルタイプであり、本体ケース１００と、開閉カバー２０１と、バッテリ収納部８０とを有し、開閉カバー２０１を開けてロール紙ＳＲの交換等を容易に行うことができる。
【００１５】
本体ケース１００は、Ｙ１側にバッテリＢを収容するバッテリ収納部８０を有し、Ｙ２側にロール紙ＳＲを収納するロール紙収納部を有する。バッテリ収納部８０はカバー８１を備え、カバー８１を開閉してバッテリＢを交換することができる。
【００１６】
本体ケース１００の内部には、用紙送りモータ６８、プラテンローラ６９、モータ６８の回転をプラテンローラ６９に伝達するギヤ機構７０、制御回路基板７１等を備えている。
【００１７】
ロール紙収納部の上部には開閉カバー２０１が設けられており、開閉カバー２０１が軸部材２０２を中心にＺ１方向に回動することで、ロール紙収納部が露出してロール紙ＳＲを容易に装填又は交換することができる。
【００１８】
また、開閉カバー２０１には、閉じた状態でプラテンローラ６９に接する位置にサーマルヘッド７５を備え、サーマルヘッド７５はばね７６によって接触時にプラテンローラ６９を押圧する方向に付勢されている。また、開閉カバー２０１の上部には操作ボタン７７、開閉レバー２０５等を設けている。
【００１９】
サーマルプリンタ６０は、バッテリＢがバッテリ収納部８０に装着されてカバー８１が閉じられ、ロール紙ＳＲが収納部に装填されて用紙Ｓが引き出されて開閉カバー２０１が閉じ、用紙Ｓがサーマルヘッド７５とプラテンローラ６９とに挟まれた状態で使用が開始される。
【００２０】
用紙Ｓへの印字は、有線、無線又は赤外線通信等で接続する外部機器からの命令に基づき、モータ６８が駆動されてプラテンローラ６９がロール紙ＳＲから用紙Ｓを繰り出し、サーマルヘッド７５がプラテンローラ６９との間に搬送された用紙Ｓに印字を行う。表面に印字が行われた用紙Ｓは、排紙口２００から矢印７８方向に送り出される。
【００２１】
排紙口２００から排出された用紙Ｓは、排紙口近傍に設けられるカッタに押し当てられることで、用紙搬送方向の略直交方向に切断される。
【００２２】
［第１の実施形態］
図３及び図４に、第１の実施形態に係るサーマルプリンタ６０の概略構成例を示し、開閉カバー２０１の開閉時の動作について説明する。
【００２３】
開閉カバー２０１には、用紙Ｓを切断するためのカッタ１０が図３の矢印５１方向に移動可能に設けられており、カッタ１０の端部にはラックギヤ２０が取り付けられている。また、開閉カバー２０１にはカッタ１０端部のラックギヤ２０に噛合って回転するピニオンギヤ２１が設けられている。
【００２４】
ピニオンギヤ２１は、周面から突出する棒状のロッド部２１ａと、ラックギヤ２０に噛合うギヤ部２１ｂとで構成され、図３の矢印７０方向に回転する様に付勢されている。ピニオンギヤ２１に外部からの負荷が無い状態では、ラックギヤ２０を介して開閉カバー２０１内部に収納する方向にカッタ１０を移動させる。
【００２５】
ピニオンギヤ２１の付勢手段としては、図１０（ａ）に示す様に、ピニオンギヤ２１を矢印９１方向に付勢するばね２３を設けても良く、図１０（ｂ）に示す様にカッタ１０を矢印９２方向に付勢する様にばね２３を設ける構成としても良い。
【００２６】
また、本体ケース１００の内側面には、開閉カバー２０１が閉じられる際にピニオンギヤ２１のロッド部２１ａを押し上げて回転させられる位置に、リブ３０が設けられている。図４に示す様に、リブ３０は開閉カバー２０１が閉じた状態でロッド部２１ａに接触してピニオンギヤ２１を矢印７１方向に回転させ、ラックギヤ２０を介してカッタ１０を矢印７２方向に移動させて排紙口２００に露出させる。
【００２７】
この様に、ラックギヤ２０、ピニオンギヤ２１、ピニオンギヤ２１の付勢手段及びリブ３０を備えるカッタ保護機構を設けることで、図３に示す開閉カバー２０１が開いた状態では、ピニオンギヤ２１が矢印７０方向に付勢されて回転し、ギヤ部２１ｂとラックギヤ２０が噛合ってカッタ１０を開閉カバー２０１内に収納する様に動作する。
【００２８】
また、開閉カバー２０１が閉じた状態では、図４に示す様に、本体ケース１００に設けられたリブ３０がピニオンギヤ２１のロッド部２１ａを押し上げ、ピニオンギヤ２１を矢印７１方向に回転させる。ピニオンギヤ２１が矢印７１方向に回転することにより、ピニオンギヤ２１に噛合するラックギヤ２０を有するカッタ１０が、矢印７２方向に移動して開閉カバー２０１から排紙口２００に露出する。カッタ１０が排紙口２００に露出することで、開閉カバー２１が閉じた状態で印字後の用紙Ｓをカッタ１０に押し当てて切断することが可能になる。
【００２９】
第１の実施形態に係るサーマルプリンタでは、開閉カバー２０１を開けた状態ではカッタ１０が開閉カバー２０１内部に収納されるため、ロール紙ＳＲの装填や交換等の作業をする際に作業者がカッタ１０に触れることによるケガ等が発生する虞がない。
【００３０】
また、図５に示す様に、開閉カバー２０１の開閉時にカッタ１０が移動して接触する位置にクリーニング部材３１や研磨部材３２を配設することもできる。図５（ａ）にクリーニング部材３１、図５（ｂ）に研磨部材３２を設けた構成例を示す。
【００３１】
クリーニング部材３１としては、例えばポリウレタン等の合成樹脂を発泡形成したスポンジ等を用いることができ、カッタ１０に付着した紙粉や異物等を開閉カバー２０１の開閉時に伴って移動する際に除去することができる。
【００３２】
したがってクリーニング部材３１を設けることで、用紙Ｓとカッタ１０との間に異物が入ることにより発生するカット不良を改善することが可能である。
【００３３】
また、例えば研削砥石等の研磨部材３２によって、カッタ１０が移動する度に刃先が研磨され、新品に近い状態を維持することができ、カッタ１０の刃の磨耗による寿命を延ばすことが可能になる。
【００３４】
さらに、クリーニング部材３１及び研磨部材３２の両方を設けることで、それぞれから得られる効果を同時に得ることも可能である。
【００３５】
［第２の実施形態］
図６及び図７に、第２の実施形態に係るサーマルプリンタ６０の概略構成例を示し、開閉カバー２０１の開閉時の動作について説明する。
【００３６】
本体ケース１００に設けられているプラテンローラ６９の軸には、カッタ１０を保持する保持部材３３が回転可能に支持されている。保持部材３３は、例えばばね等によって矢印７３方向に付勢されている。図６に示す様に、保持部材３３は、開閉カバー２０１が開いた状態では、矢印７３方向に付勢されて回転し、カッタ１０を本体ケース１００内部に収納する様に回転する。保持部材３３の付勢手段としては、図１０（ｃ）に示す様に、例えばばね２３が保持部材３３を矢印９３方向に付勢する様に設けることができる。
【００３７】
開閉カバー２０１には、本体ケース１００に設けられている保持部材３３に接触して回転させられる位置に、突起部２０３を形成している。図７に示す様に、開閉カバー２０１が閉じた状態では、開閉カバー２０１の突起部２０３が保持部材３３を押下して矢印７４方向に回転させることで、保持部材３３が保持するカッタ１０が排紙口２００に露出する。
【００３８】
この様に、開閉カバー２０１の突起部２０３、カッタ１０を保持して回転可能に支持される保持部材３３及び保持部材３３の付勢手段とで構成されるカッタ保護機構により、開閉カバー２０１を開けた状態ではカッタ１０が本体ケース１００内に収納されるため、ロール紙ＳＲの装填又は交換時にカッタ１０に接触してケガをする虞がない。
【００３９】
［第３の実施形態］
図８及び図９に、第３の実施形態に係るサーマルプリンタ６０の概略構成例を示し、開閉カバー２０１の開閉時の動作について説明する。
【００４０】
開閉カバー２０１には、排紙口２００から露出する位置にカッタ１０が固定支持されており、カッタ１０を露出及び覆い隠すことが出来る様にシャッタ２２を移動可能に設けている。
【００４１】
また、シャッタ２２の端部にはラックギヤ２０が設けられており、ラックギヤ２０に噛合って回転可能なピニオンギヤ２１が、矢印７６方向に付勢されて支持されている。ピニオンギヤ２１は、周面から突出するロッド部２１ａと、ギヤ部２１ｂとで構成され、矢印７６方向に付勢されることで、開閉カバー２０１が開いた状態ではカッタ１０を覆う様にシャッタ２２を移動させる。
【００４２】
ピニオンギヤ２１の付勢手段としては、第１の実施形態と同様に、例えばばね等を用いて矢印７６方向に付勢しても良く、また、シャッタ２２がカッタ１０を覆う方向に例えばばね等で付勢する様に構成することもできる。
【００４３】
本体ケース１００の内側面には、開閉カバー２０１が閉じられる際にピニオンギヤ２１のロッド部２１ａを押し上げて回転させられる位置に、リブ３０が設けられている。図９に示す様に、リブ３０は開閉カバー２０１が閉じた状態でロッド部２１ａに接触してピニオンギヤ２１を矢印７７方向に回転させ、ラックギヤ２０を介してシャッタ２２を矢印７９方向に移動させることで、カッタ１０を排紙口２００に露出させる。
【００４４】
この様に、シャッタ２２、ラックギヤ２０、ピニオンギヤ２１、ピニオンギヤ２１の付勢手段及びリブ３０を備えるカッタ保護機構を設けることで、図８に示す様に開閉カバー２０１が開いた状態ではシャッタ２２が移動してカッタ１０を覆い隠し、図９に示す様に開閉カバー２０１が閉じた状態ではシャッタ２２が移動してカッタ１０を排紙口に露出させる。
【００４５】
したがって、開閉カバー２０１を開けた状態ではカッタ１０がシャッタ２２に覆い隠されるため、ロール紙ＳＲの装填や交換等の作業をする際に作業者がカッタ１０に触れることによるケガ等が発生する虞がない。
【００４６】
以上、本発明の実施形態について説明したが、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００４７】
１０  カッタ
２０  ラックギヤ
２１  ピニオンギヤ
２１ａ  ロッド部
２２  シャッタ
３０  リブ
３１  クリーニング部材
３２  研磨部材
６０  サーマルプリンタ
１００  本体ケース
２００  排紙口
２０１  開閉カバー
２０３  突起部
ＲＳ  ロール紙
【図１】
0005873326.tif 000002
【図２】
0005873326.tif 000003
【図３】
0005873326.tif 000004
【図４】
0005873326.tif 000005
【図５】
0005873326.tif 000006
【図６】
0005873326.tif 000007
【図７】
0005873326.tif 000008
【図８】
0005873326.tif 000009
【図９】
0005873326.tif 000010
【図１０】
0005873326.tif 000011